(57)【要約】      （修正有）【課題】ヒールを有する靴を着用した場合でも快適な歩行が可能となる、靴用の中敷きを提供する。【解決手段】ヒールを有する靴用の中敷き１０であって、ヒールを有する靴が備える靴底本体の地面に当接する接地部の上面に当接する中敷き先端部２０と、中敷き先端部２０から斜め上方へと屈曲し、靴底本体の地面から離間する非接地部の上面に当接する中敷き本体部４０と、を備え、中敷き先端部２０の前端縁２０ａが基節骨骨頭部に対応する領域付近に位置し、且つ中敷き先端部２０の上面において幅方向に延びる第１の突部２２、及び第２突部２６が形成されている。【選択図】図２
0003212989.tif 000002
【実用新案登録請求の範囲】
【請求項１】
ヒールを有する靴用の中敷きであって、
前記ヒールを有する靴が備える靴底本体の地面に当接する接地部の上面に当接する中敷き先端部と、
前記中敷き先端部から斜め上方へと屈曲し、前記靴底本体の地面から離間する非接地部の上面に当接する中敷き本体部と、を備え、
前記中敷き先端部の前端縁が基節骨骨頭部に対応する領域付近に位置し、且つ前記中敷き先端部の上面において幅方向に延びる第１の突部が形成されていることを特徴とする、靴用の中敷き。
【請求項２】
前記中敷き先端部の上面の親指と人差指の間に対応する領域付近において第２の突部が形成されている、請求項１に記載の靴用の中敷き。
【請求項３】
前記中敷き先端部の底面に幅方向に延びる第１の溝部が形成されている、請求項１又は２に記載の靴用の中敷き。
【請求項４】
請求項１乃至３のいずれかに記載の中敷きを備える、ヒールを有する靴。
【請求項５】
前記靴底本体のうちの少なくとも基節骨骨頭部に対応する領域付近よりも前方側の部分は、上方から押圧すると撓んでしずみ込むしずみ込み部を含む、請求項４に記載のヒールを有する靴。
【請求項６】
前記靴底本体と前記中敷きの間に挟まれて配置される中底をさらに備え、前記中底のうちの少なくとも基節骨骨頭部に対応する領域付近よりも前方側の部分は、上方から押圧すると撓んでしずみ込むしずみ込み部を含み、前記しずみ込み部は発泡樹脂を用いて形成されている、請求項４又は５に記載のヒールを有する靴。
【考案の詳細な説明】
【技術分野】
【０００１】
本考案は、靴用の中敷き及びそれを備えるヒールを有する靴に関する。
【背景技術】
【０００２】
従来から、ヒールを有する靴用の中敷きが知られている。このような靴用の中敷きとして、例えば、特許文献１に開示された多機能靴中敷きがある。
【０００３】
特許文献１には、ヒールを有する婦人靴の中敷きとしての機能を総合的になし得る半中敷きが提案されている。また、当該半中敷きは踵部後端から中足骨骨頭位置付近までの範囲において足底の輪郭を有する。さらに、土踏まず部分、土踏まず領域と踵部領域の境界部の内甲側と外甲側との位置付近部分及び第２中足骨骨頭位置付近部分に相当する下に凸状のパッド部を設け、踵部の位置に相当する部分に下に凹状のパッド部を一体に設けている。
【先行技術文献】
【特許文献】
【０００４】
【特許文献１】特開２００４−２２９９９２号公報
【考案の概要】
【考案が解決しようとする課題】
【０００５】
ところで、ヒールを有する靴は、一般に、その靴底本体の地面に当接する接地部内での足の可動範囲が他の靴と比較して狭い。これにより、疲れ易くなったり、他の靴に比べ歩き難くなったりしてしまうという問題があった。そして、特許文献１やその他の従来からある靴用の中敷きでは、このような問題を十分に解消できていなかった。
【０００６】
そこで、本考案は、ヒールを有する靴を着用した場合でも快適な歩行を可能とする、靴用の中敷き及びそれを備えるヒールを有する靴を提供することを目的とする。
【課題を解決するための手段】
【０００７】
前記課題を解決するために、本考案に係る靴用の中敷きは、ヒールを有する靴用の中敷きであって、前記ヒールを有する靴が備える靴底本体の地面に当接する接地部の上面に当接する中敷き先端部と、前記中敷き先端部から斜め上方へと屈曲し、前記靴底本体の地面から離間する非接地部の上面に当接する中敷き本体部と、を備え、前記中敷き先端部の前端縁が基節骨骨頭部に対応する領域付近に位置し、且つ前記中敷き先端部の上面において幅方向に延びる第１の突部が形成されていることを特徴とする。
【０００８】
上記構成によれば、幅方向に延びる第１の突部によって、その付近に配置される足の一部が上方に持ち上げられる。これにより、当該足の一部よりも前方側の部分が靴底本体から離間して上方に位置するようになる。すなわち、当該足の一部よりも前方側の部分の下方への可動範囲を広くすることができる。さらに、中敷き先端部の前端縁が基節骨骨頭部に対応する領域付近に位置することで、当該下方への可動範囲を一層広くすることができる。その結果、本考案に係る靴用の中敷きは、ヒールを有する靴を着用した場合でも快適な歩行が可能となる。
【０００９】
前記中敷き先端部の上面の親指と人差指の間に対応する領域付近において第２の突部が形成されていてもよい。
【００１０】
上記構成によれば、ヒールを有する靴の内部で足が前滑りしてしまうことを抑制できるため、足の可動範囲を確保することが可能となる。
【００１１】
前記中敷き先端部の底面に幅方向に延びる第１の溝部が形成されていてもよい。
【００１２】
上記構成によれば、中敷き先端部が足の動きにあわせて容易に撓むようになる。これにより、足にかかる負担が低減されるため、上記本考案が奏する効果を顕著にすることができる。
【００１３】
前記課題を解決するために、本考案に係るヒールを有する靴は、上記のいずれかに記載の中敷きを備える。
【００１４】
上記構成によれば、中敷きの幅方向に延びる第１の突部によって、その付近に配置される足の一部が上方に持ち上げられる。これにより、当該足の一部よりも前方側の部分が靴底本体から離間して上方に位置するようになる。すなわち、当該足の一部よりも前方側の部分の下方への可動範囲を広くすることができる。さらに、中敷き先端部の前端縁が基節骨骨頭部に対応する領域付近に位置することで、当該下方への可動範囲を一層広くすることができる。その結果、本考案に係るヒールを有する靴は、快適な歩行が可能となる。
【００１５】
前記靴底本体のうちの少なくとも基節骨骨頭部に対応する領域付近よりも前方側の部分は、上方から押圧すると撓んでしずみ込むしずみ込み部を含んでもよい。
【００１６】
上記構成によれば、足の動きにあわせてしずみ込み部が撓んでしずみ込むため、足の可動範囲を広くすることができ、且つ足に加わる衝撃を緩和することが可能となる。
【００１７】
例えば、前記靴底本体と前記中敷きの間に挟まれて配置される中底をさらに備え、前記中底のうちの少なくとも基節骨骨頭部に対応する領域付近よりも前方側の部分は、上方から押圧すると撓んでしずみ込むしずみ込み部を含み、前記しずみ込み部は発泡樹脂を用いて形成されていてもよい。
【考案の効果】
【００１８】
本考案は、ヒールを有する靴を着用した場合でも快適な歩行を可能とする、靴用の中敷き及びそれを備えるヒールを有する靴を提供することができる。
【図面の簡単な説明】
【００１９】
【図１】本考案の実施形態に係る靴用の中敷きを備えるヒールを有する靴の側面図である。
【図２】本考案の実施形態に係る靴用の中敷きの外観斜視図である。
【図３】本考案の実施形態に係る靴用の中敷きの平面図である。
【図４】本考案の実施形態に係る靴用の中敷きの底面図である。
【図５】本考案の実施形態に係る靴用の中敷きの図４に示すＶ−Ｖ線に沿った断面図である。
【図６】本考案の実施形態に係るヒールを有する靴が備える中底の平面図である。
【図７】本考案の実施形態に係るヒールを有する靴が備える中底の底面図である。
【図８】本考案の実施形態に係るヒールを有する靴が備える中底の図７に示すＶＩＩＩ−ＶＩＩＩ線に沿った断面図である。
【考案を実施するための形態】
【００２０】
（靴用の中敷き１０）
以下、本考案の好ましい実施形態を、添付図面を参照して説明する。なお、以下では、全ての図を通じて同一又は相当する要素には同一の参照符号を付して、その重複する説明を省略する。また、本考案は以下で説明する実施形態に限定されない。
【００２１】
図１は、本考案の実施形態に係る靴用の中敷きを備えるヒールを有する靴の側面図である。図２は、本考案の実施形態に係る靴用の中敷きの外観斜視図である。また、図３は同平面図、図４は同底面図、図５は図４に示すＶ−Ｖ線に沿った断面図である。本実施形態に係る靴用の中敷きは、左足用及び右足用のために２つ製造されるが、それらは互いに左右対象の構造である。したがって、図１〜５では左足用のみを図示し、以下ではその左足用についてのみ説明する。すなわち、右足用の同様となる図示及び説明は繰り返さない。ヒールを有する靴及び中底についても同様とする。
【００２２】
図１に示すように、本実施形態に係る靴用の中敷き１０は、ヒールを有する靴１００に用いられる。中敷き１０は、靴１００が備える靴底本体１１０の地面に当接する接地部１２０の上面に当接する中敷き先端部２０と、中敷き先端部２０から斜め上方へと屈曲し、靴底本体１１０の地面から離間する非接地部１４０の上面に当接する中敷き本体部４０と、を備える。なお、中敷き先端部２０は、靴底本体１１０の接地部１２０の一部（具体的には、基節骨骨頭部に対応する領域付近よりも踵側に位置する部分）に応じた形状であることが好ましい。また、中敷き本体部４０は、靴底本体１１０の非接地部１４０に応じた形状であることが好ましい。
【００２３】
図２及び図３に示すように、中敷き１０は、中敷き先端部２０の前端縁２０ａが基節骨骨頭部に対応する領域付近に位置し、且つ中敷き先端部２０の上面において幅方向に延びる第１の突部２２が形成されていることを特徴とする。中敷き先端部２０の前端縁２０ａは、基節骨骨頭部の形状に対応するように、平面視したとき前方側へと膨れ出て湾曲しつつ幅方向に延びて形成されている。また、第１の突部２２は、中敷き先端部２０の内側端縁の近傍から外側端縁の近傍までを幅方向に延びて形成されている。さらに、第１の突部２２は、中足骨骨頭部に対応する領域付近に形成され、且つ当該中足骨骨頭部の形状に対応するように、平面視したとき前方側へと膨れ出て湾曲しつつ幅方向に延びて形成されている。
【００２４】
図２及び図３に示すように、中敷き先端部２０の上面の親指と人差指の間に対応する領域付近において第２の突部２６が形成されている。第２の突部２６は、その前端縁が中敷き先端部２０の前端縁２０ａと一致する。また、第２の突部２６は、親指と人差指の形状に対応するように後方に向かうに連れて幅寸法が小さくなる。
【００２５】
図４に示すように、中敷き先端部２０の底面に幅方向に延びる第１の溝部２４が形成されている。第１の溝部２４は、図４に示すように、前後方向に互いに間隔を空けて３つ形成されている。３つの第１の溝部２４は、それぞれ、中敷き先端部２０の内側端縁から外側端縁までを幅方向に延びて形成されている。また、３つの第１の溝部２４は、それぞれ、中足骨骨頭部に対応する領域付近に形成され、且つ当該中足骨骨頭部の形状に対応するように、平面視したとき前方側へと膨れ出て湾曲しつつ幅方向に延びて形成されている。
【００２６】
図４に示すように、中敷き本体部４０の底面には、靴１００のヒールに対応する領域付近において、ハニカム構造になるよう隙間なく並べられた正六角形の複数の凹部４２が形成されている。
【００２７】
（効果）
本実施形態に係る中敷き１０は、幅方向に延びる第１の突部２２によって、その付近に配置される足の一部が上方に持ち上げられる。これにより、当該足の一部よりも前方側の部分が靴底本体１１０から離間して上方に位置するようになる。すなわち、当該足の一部よりも前方側の部分の下方への可動範囲を広くすることができる。さらに、中敷き先端部２０の前端縁２０ａが基節骨骨頭部に対応する領域付近に位置することで、当該下方への可動範囲を一層広くすることができる。ここで、中敷き先端部２０に配置される足の一部は、一般に、上方への可動範囲よりも下方への可動範囲が大きくなる。したがって、上記のように下方への可動範囲を広くすることで、着用時に心地良い履き心地を得ることができる。さらに、歩行した際に足の指で物を把持するような動きが効果的に行われ、ポンプのように血流を引き起こすことができる。これにより、足の血流を阻害しにくく、歩行し続けた場合にむくみを軽減することができる。上記の通りであるため、本考案に係る靴用の中敷き１０は、ヒールを有する靴１００を着用した場合でも快適な歩行を可能とする。
【００２８】
また、中敷き先端部２０の上面の親指と人差指の間に対応する領域付近において第１の突部２２が形成されていることにより、ヒールを有する靴１００の内部で足が前滑りしてしまうことを抑制することができる。これに、足の可動範囲を確保することが可能となる。好ましくは、第１の突部２２は、中敷き先端部２０の上面における第１指基節骨骨頭部と第２指基節骨骨頭部との間に対応する領域付近において、形成される。
【００２９】
さらに、中敷き先端部２０の底面に幅方向に延びる第１の溝部２４が形成されていることにより、中敷き先端部２０が足の動きにあわせて容易に撓むようになる。これにより、足にかかる負担が低減されるため、上記本考案が奏する効果を顕著にすることができる。なお、本実施形態では、前後方向に互いに間隔を空けて３つの第１の溝部２４が形成されている。これにより、中敷き先端部２０が足の動きにあわせて爪先側から踵側に向かって段階的に（キャタピラのように）撓むことができるため、足にかかる負担が一層低減され、上記本考案が奏する効果をさらに顕著にすることができる。
【００３０】
（ヒールを有する靴１００）
図１に示すように、本実施形態に係るヒールを有する靴１００は、靴底本体１１０の地面に当接する接地部１２０と、靴底本体１１０の地面から離間する非接地部１４０と、を備える。また、ヒールを有する靴１００は、上記した中敷き２０に加えて、後述する中底６０を備える。
【００３１】
靴底本体１１０の接地部１２０の底面において第２の溝部が形成されている。当該第２の溝部の態様は特に限定されないが、例えば、複数の第２の溝部が格子状に交差した構造であってもよい。このような第２の溝部が形成されていることで、靴底本体１１０の接地部１２０が足の動きにあわせて容易に撓むようになる。これにより、足にかかる負担が低減される。
【００３２】
（中底６０）
次に、図１及び図６〜８に基づいて、本実施形態に係るヒールを有する靴１００が備える中底６０について説明する。図６は、本考案の実施形態に係るヒールを有する靴が備える中底の平面図である。図７は、本考案の実施形態に係るヒールを有する靴が備える中底の底面図である。図８は、本考案の実施形態に係るヒールを有する靴が備える中底の図７に示すＶＩＩＩ−ＶＩＩＩ線に沿った断面図である。
【００３３】
図１に示すように、中底６０は、靴底本体１１０と中敷き２０の間に挟まれて配置される。また、図６〜８に示すように、中底６０のうちの少なくとも基節骨骨頭部に対応する領域付近よりも前方側の部分は、発泡樹脂を用いて形成されるしずみ込み部７０を含む。ここで、発泡樹脂とは、内部に細かな孔を多数含む発泡成形された合成樹脂のことである。発泡樹脂は、上方から押圧すると撓んでしずみ込み、且つ軽量でクッション性を有する。さらに、中底６０は、平面視したとき少なくともしずみ込み部７０よりも後方側に設けられる中底ボード部８０と、底面視したとき少なくともしずみ込み部７０よりも後方側に設けられる不織布８６と、中底ボード部８０と不織布８６との間に挟まれるように設けられる硬質ボード部８４と、硬質ボード部８４の上面における幅方向の略中央部（又は中底ボード部８０の底面における幅方向の略中央部）を前後方向に延びて設けられるシャンク部８２と、を含む。
【００３４】
図７及び図８に示すように、中底ボード部８０は、しずみ込み部７０の後端面及び底面に沿って中底６０の前端縁（しずみ込み部７０の前端縁）まで延びるように形成されてもよい。そして、中底ボード部８０のうちのしずみ込み部７０の底面に形成される部分には、その一部に形成されている切欠きを埋めるように中底布７２が設けられてもよい。
【００３５】
（効果）
本実施形態に係るヒールを有する靴１００は、中敷き１０の幅方向に延びる第１の突部２２によって、その付近に配置される足の一部が上方に持ち上げられる。これにより、当該足の一部よりも前方側の部分が靴底本体１１０から離間して上方に位置するようになる。すなわち、当該足の一部よりも前方側の部分の下方への可動範囲を広くすることができる。さらに、中敷き先端部２０の前端縁２０ａが基節骨骨頭部に対応する領域付近に位置することで、当該下方への可動範囲を一層広くすることができる。ここで、中敷き先端部２０に配置される足の一部は、一般に、上方への可動範囲よりも下方への可動範囲が大きくなる。したがって、上記のように下方への可動範囲を広くすることで、着用時に心地良い履き心地を得ることができる。さらに、歩行した際に足の指で物を把持するような動きが効果的に行われ、ポンプのように血流を引き起こすことができる。これにより、足の血流を阻害しにくく、歩行し続けた場合にむくみを軽減することができる。上記の通りであるため、本考案に係るヒールを有する靴１００は快適な歩行を可能とする。
【００３６】
そして、本実施形態に係るヒールを有する靴１００は、その靴底本体１１０と中敷き１０の間に挟まれて配置される中底６０をさらに備える。また、中底６０のうちの少なくとも基節骨骨頭部に対応する領域付近よりも前方側の部分は、発泡樹脂を用いて形成されるしずみ込み部７０を含む。当該しずみ込み部７０は、足の動きにあわせて撓んでしずみ込むため、足の可動範囲を広くすることができ、且つ足に加わる衝撃を緩和することが可能となる。
【００３７】
（変形例）
上記実施形態では、中敷き先端部２０の底面に幅方向に延びる３つの第１の溝部２４が形成される場合について説明したが、これに限定されない。すなわち、第１の溝部２４は、１つのみ又は２つ形成されてもよいし、４つ以上形成されてもよい。また、第１の溝部２４は形成されなくてもよい。これにより、中敷き１０を簡単な構造とすることができる。中敷き先端部２０の上面に形成される第２の突部２６と、中敷き本体部４０の底面に形成される凹部４２とについても同様である。
【００３８】
上記実施形態では、中底６０が、図８に示すように、しずみ込み部７０、中底布７２、中底ボード部８０、シャンク部８２、及び硬質ボード部８４及び不織布８６を備える場合について説明したが、これに限定されない。例えば、中底６０は、しずみ込み部７０及びその後端側に形成される中底ボード部８０のみから成る構造であってもよいし、その他の構造であってもよい。
【００３９】
上記実施形態では、靴１００は、図１に示すように踵部付近においてのみ高さ方向に延びるヒールを有する場合について説明したが、これに限定されない。例えば、靴１００のヒールは、その前端部分が接地部１２０と一体的に形成され、後端部分に向かうに連れて高さ寸法が大きくなるように（すなわち、図１において靴底本体１１０の非接地部１４０と地面との間の空間を埋めるように）形成されていてもよい。
【００４０】
また、ヒールの高さ寸法は、特に限定されないが、例えば、３ｃｍ以上７ｃｍ未満とすることで靴１００をミドルヒールとして用いてもよいし、７ｃｍ以上とすることで靴１００をハイヒールとして用いてもよい。なお、ヒールを有する靴１００は、図１に示すようなハイヒール等の婦人靴として好適に用いられるが、これに限定されず、例えばシークレットブーツ等の紳士靴として用いられてもよい。好ましくは、靴１００はヒールを有する婦人靴である。より好ましくは、靴１００はハイヒールを有する婦人靴である。
【００４１】
ヒールを有する靴１００の中底の最大傾斜角度は、例えば、２０度以上６０度以下としてもよいし、３０度以上５０度以下としてもよい。なお、ここでいう中底の最大傾斜角度とは、靴１００に用いられる中底のうち水平面に対する傾斜が最大となる部分の傾斜角度のことである。図１に示すような靴１００に用いられる中底では、一般に、接地部１２０に対応する領域とヒールが形成される部分に対応する領域との中間に位置する部分で傾斜角度が最大となる。
【００４２】
上記実施形態では、ヒールを有する靴１００が中底６０を備え、中底６０のうちの少なくとも基節骨骨頭部に対応する領域付近よりも前方側の部分がしずみ込み部７０を構成する場合について説明したが、これに限定されない。例えば、ヒールを有する靴１００は中底６０を備えなくてもよい。このような場合、例えば、靴底本体１１０の最も上層側に位置する層のうちの少なくとも基節骨骨頭部に対応する領域付近よりも前方側の部分がしずみ込み部７０を構成してもよい。また、しずみ込み部７０は発泡樹脂を用いて形成されている場合について説明したが、これに限定されない。すなわち、しずみ込み部７０は、上方から押圧することで撓んでしずみ込む他の部材（例えば、ゲル状部材やゴム部材等）を用いて形成されていてもよい。なお、しずみ込み部７０は、靴底本体１１０の最も上層側に位置する層及び中底６０の両方に含まれてもよい。
【００４３】
上記説明から、当業者にとっては、本考案の多くの改良や他の実施形態が明らかである。したがって、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００４４】
１０  中敷き
２０  中敷き先端部
２２  第１の突部
２４  溝部
２６  第２の突部
４０  中敷き本体部
４２  凹部
６０  中底
７０  しずみ込み部
７２  中底布
８０  中底ボード部
８２  シャンク部
８４  硬質ボード部
８６  不織布
１００  ヒールを有する靴
１１０  靴底本体
１２０  接地部
１４０  非接地部
【図１】
0003212989.tif 000003
【図２】
0003212989.tif 000004
【図３】
0003212989.tif 000005
【図４】
0003212989.tif 000006
【図５】
0003212989.tif 000007
【図６】
0003212989.tif 000008
【図７】
0003212989.tif 000009
【図８】
0003212989.tif 000010